(57)【要約】  本開示は、アクセス処理方法、基地局および移動通信端末を提供する。当該アクセス処理方法において、第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信するステップと、前記第１ネットワークに対応する第１コアネットワークおよび前記第２ネットワークに対応する第２コアネットワークのうち、前記基地局から接続可能なコアネットワークである目標コアネットワークを特定するステップと、前記目標ＮＡＳメッセージを前記目標コアネットワークに送信するステップとを含む。【選択図】  図２
2020501445.tif 000002
【特許請求の範囲】
【請求項１】
基地局に用いられるアクセス処理方法において、
第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信するステップと、
前記第１ネットワークに対応する第１コアネットワークおよび前記第２ネットワークに対応する第２コアネットワークのうち、前記基地局から接続可能なコアネットワークである目標コアネットワークを特定するステップと、
前記目標ＮＡＳメッセージを前記目標コアネットワークに送信するステップとを含むアクセス処理方法。
【請求項２】
前記目標ＮＡＳメッセージに対応するネットワークと前記目標コアネットワークに対応するネットワークとは異なる場合に前記目標コアネットワークから返信されたアクセス拒否メッセージを受信するステップと、
アクセス拒否メッセージを前記移動通信端末に送信し、ＮＡＳメッセージを変更して改めてアクセスフローを引き起こすように前記移動通信端末に通知するステップとをさらに含む請求項１に記載のアクセス処理方法。
【請求項３】
前記基地局から接続可能なコアネットワークに対応するネットワークを指示するネットワーク情報を送信することによって、前記ネットワーク情報に基づいて、基地局から接続可能なコアネットワークに対応するネットワークに対応するＮＡＳメッセージを前記目標ＮＡＳメッセージとして前記第１ＮＡＳメッセージおよび第２ＮＡＳメッセージから選択するように前記移動通信端末に指示するステップをさらに含む請求項１に記載のアクセス処理方法。
【請求項４】
前記アクセス要求には、前記目標ＮＡＳメッセージに対応するネットワークのネットワークＩＤがさらに付帯され、
目標コアネットワークを特定するステップにおいて、
前記ネットワークＩＤで指示されるネットワークに対応するコアネットワークを、前記目標コアネットワークとして特定する請求項３に記載のアクセス処理方法。
【請求項５】
前記基地局から接続可能なコアネットワークに対応するネットワークのネットワーク情報を送信するステップにおいて、
システム情報ブロックＳＩＢまたは無線リソース制御ＲＲＣシグナリングによって前記ネットワーク情報を付帯する請求項３に記載のアクセス処理方法。
【請求項６】
第１ネットワークおよび第２ネットワークに接続可能な移動通信端末に用いられるアクセス処理方法において、
前記第１ネットワークに対応する第１ＮＡＳメッセージおよび／または前記第２ネットワークに対応する第２ＮＡＳメッセージである目標ＮＡＳメッセージを選択するステップと、
目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信するステップと、
目標コアネットワークから返信された応答メッセージを前記基地局によって受信するステップとを含むアクセス処理方法。
【請求項７】
前記応答メッセージとして、目標ＮＡＳメッセージに対応するネットワークと前記目標コアネットワークに対応するネットワークとは異なることを指示するアクセス拒否メッセージであると、目標ＮＡＳメッセージとは異なるＮＡＳメッセージを新たな目標ＮＡＳメッセージとして前記第１ＮＡＳメッセージおよび第２ＮＡＳメッセージから選択し、改めてアクセスフローを引き起こすステップをさらに含む請求項６に記載のアクセス処理方法。
【請求項８】
前記基地局から接続可能なコアネットワークに対応するネットワークを指示するネットワーク情報を前記基地局から受信するステップをさらに含み、
目標ＮＡＳメッセージを選択するステップは、具体的に、
前記ネットワーク情報に基づいて、基地局から接続可能なコアネットワークに対応するネットワークに対応するＮＡＳメッセージを前記目標ＮＡＳメッセージとして前記第１ＮＡＳメッセージおよび第２ＮＡＳメッセージから選択する請求項６に記載のアクセス処理方法。
【請求項９】
前記アクセス要求には、前記目標ＮＡＳメッセージに対応するネットワークのネットワークＩＤがさらに付帯されることによって、前記ネットワークＩＤで指示されるネットワークに対応するコアネットワークを前記目標コアネットワークとして特定するように前記基地局に指示する請求項８に記載のアクセス処理方法。
【請求項１０】
前記基地局から送信されたネットワーク情報を受信するステップにおいて、
システム情報ブロックＳＩＢまたは無線リソース制御ＲＲＣシグナリングによって前記ネットワーク情報を受信する請求項８に記載のアクセス処理方法。
【請求項１１】
前記目標ＮＡＳメッセージは、
前記第１ネットワークに対応する第１ＮＡＳメッセージおよび前記第２ネットワークに対応する第２ＮＡＳメッセージであり、
応答メッセージに対応するネットワークに基づいて、前記目標コアネットワークを特定するステップをさらに含む請求項６に記載のアクセス処理方法。
【請求項１２】
第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信することに用いられる第１受信モジュールと、
前記第１ネットワークに対応する第１コアネットワークおよび前記第２ネットワークに対応する第２コアネットワークのうち、前記基地局から接続可能なコアネットワークである目標コアネットワークを特定することに用いられる第１選択モジュールと、
前記目標ＮＡＳメッセージを前記目標コアネットワークに送信することに用いられる第１送信モジュールとを含む基地局。
【請求項１３】
前記目標ＮＡＳメッセージに対応するネットワークと前記目標コアネットワークに対応するネットワークとは異なる場合に前記目標コアネットワークから返信されたアクセス拒否メッセージを受信することに用いられる第２受信モジュールと、
アクセス拒否メッセージを前記移動通信端末に送信し、ＮＡＳメッセージを変更して改めてアクセスフローを引き起こすように前記移動通信端末に通知することに用いられる第２送信モジュールとをさらに含む請求項１２に記載の基地局。
【請求項１４】
前記基地局から接続可能なコアネットワークに対応するネットワークを指示するネットワーク情報を送信することによって、前記ネットワーク情報に基づいて、基地局から接続可能なコアネットワークに対応するネットワークに対応するＮＡＳメッセージを前記目標ＮＡＳメッセージとして前記第１ＮＡＳメッセージおよび第２ＮＡＳメッセージから選択するように前記移動通信端末に指示することに用いられる第３送信モジュールをさらに含む請求項１２に記載の基地局。
【請求項１５】
前記アクセス要求には、前記目標ＮＡＳメッセージに対応するネットワークのネットワークＩＤがさらに付帯され、
前記第１選択モジュールは、具体的に、
前記ネットワークＩＤで指示されるネットワークに対応するコアネットワークを前記目標コアネットワークとして特定することに用いられる請求項１４に記載の基地局。
【請求項１６】
前記第３送信モジュールは、具体的に、
システム情報ブロックＳＩＢまたは無線リソース制御ＲＲＣシグナリングによって前記ネットワーク情報を付帯することに用いられる請求項１４に記載の基地局。
【請求項１７】
第１ネットワークおよび第２ネットワークに接続可能な移動通信端末において、
前記第１ネットワークに対応する第１ＮＡＳメッセージおよび／または前記第２ネットワークに対応する第２ＮＡＳメッセージである目標ＮＡＳメッセージを選択することに用いられる第２選択モジュールと、
目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信することに用いられる第４送信モジュールと、
目標コアネットワークから返信された応答メッセージを前記基地局によって受信することに用いられる第３受信モジュールとを含む移動通信端末。
【請求項１８】
前記応答メッセージとして、目標ＮＡＳメッセージに対応するネットワークと前記目標コアネットワークに対応するネットワークとは異なることを指示するアクセス拒否メッセージであると、目標ＮＡＳメッセージとは異なるＮＡＳメッセージを新たな目標ＮＡＳメッセージとして前記第１ＮＡＳメッセージおよび第２ＮＡＳメッセージから選択し、改めてアクセスフローを引き起こすことに用いられる再アクセスモジュールをさらに含む請求項１７に記載の移動通信端末。
【請求項１９】
前記基地局から接続可能なコアネットワークに対応するネットワークを指示するネットワーク情報を前記基地局から受信することに用いられる第４受信モジュールをさらに含み、
前記第２選択モジュールは、具体的に、
前記ネットワーク情報に基づいて、基地局から接続可能なコアネットワークに対応するネットワークに対応するＮＡＳメッセージを前記目標ＮＡＳメッセージとして前記第１ＮＡＳメッセージおよび第２ＮＡＳメッセージから選択することに用いられる請求項１７に記載の移動通信端末。
【請求項２０】
前記アクセス要求には、前記目標ＮＡＳメッセージに対応するネットワークのネットワークＩＤがさらに付帯されることによって、前記ネットワークＩＤで指示されるネットワークに対応するコアネットワークを前記目標コアネットワークとして特定するように前記基地局に指示する請求項１９に記載の移動通信端末。
【請求項２１】
前記第４受信モジュールは、具体的に、
システム情報ブロックＳＩＢまたは無線リソース制御ＲＲＣシグナリングによって前記ネットワーク情報を受信することに用いられる請求項１９に記載の移動通信端末。
【請求項２２】
前記目標ＮＡＳメッセージは、
前記第１ネットワークに対応する第１ＮＡＳメッセージおよび前記第２ネットワークに対応する第２ＮＡＳメッセージであり、
応答メッセージに対応するネットワークに基づいて、前記目標コアネットワークを特定することに用いられる目標コアネットワーク特定モジュールをさらに含む請求項１７に記載の移動通信端末。
【請求項２３】
プロセッサと、トランシーバと、メモリとを含む基地局において、
前記プロセッサは、前記メモリからプログラムを読み取ることによって、
第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信するプロセスと、
前記第１ネットワークに対応する第１コアネットワークおよび前記第２ネットワークに対応する第２コアネットワークのうち、前記基地局から接続可能なコアネットワークである目標コアネットワークを特定するプロセスと、
前記目標ＮＡＳメッセージを前記目標コアネットワークに送信するプロセスとを実行することに用いられ、
前記トランシーバは、データの送受信に用いられ、
前記メモリは、前記プロセッサによる操作実行に用いられるデータを保存することに用いられる基地局。
【請求項２４】
プロセッサと、トランシーバと、メモリとを含む第１ネットワークおよび第２ネットワークに接続可能な移動通信端末において、
前記プロセッサは、前記メモリからプログラムを読み取ることによって、
前記第１ネットワークに対応する第１ＮＡＳメッセージおよび／または前記第２ネットワークに対応する第２ＮＡＳメッセージである目標ＮＡＳメッセージを選択するプロセスと、
目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信するプロセスと、
目標コアネットワークから返信された応答メッセージを前記基地局によって受信するプロセスとを実行することに用いられ、
前記トランシーバは、データの送受信に用いられ、
前記メモリは、前記プロセッサによる操作実行に用いられるデータを保存することに用いられる移動通信端末。
【請求項２５】
プロセッサによって実行可能なコンピュータ読み取り可能な指令が格納された非揮発性コンピュータ読み取り可能な記憶媒体であって、
前記コンピュータ読み取り可能な指令がプロセッサによって実行されると、
前記プロセッサは、
第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信することと、
前記第１ネットワークに対応する第１コアネットワークおよび前記第２ネットワークに対応する第２コアネットワークのうち、前記基地局から接続可能なコアネットワークである目標コアネットワークを特定することと、
前記目標ＮＡＳメッセージを前記目標コアネットワークに送信することとを実行する非揮発性コンピュータ読み取り可能な記憶媒体。
【請求項２６】
プロセッサによって実行可能なコンピュータ読み取り可能な指令が格納された非揮発性コンピュータ読み取り可能な記憶媒体であって、
前記コンピュータ読み取り可能な指令がプロセッサによって実行されると、
前記プロセッサは、
前記第１ネットワークに対応する第１ＮＡＳメッセージおよび／または前記第２ネットワークに対応する第２ＮＡＳメッセージである目標ＮＡＳメッセージを選択することと、
目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信することと、
目標コアネットワークから返信された応答メッセージを前記基地局によって受信することと実行する非揮発性コンピュータ読み取り可能な記憶媒体。
【発明の詳細な説明】
【技術分野】
【０００１】
本願は、２０１６年１２月６日に中国特許庁に提出された中国特許出願２０１６１１１１０４９９．７の優先権を主張し、その全ての内容が援用によりここに取り込まれる。
【０００２】
本開示は、移動通信アクセス技術に係り、特にアクセス処理方法、基地局および移動通信端末に係る。
【背景技術】
【０００３】
人々の生活を大きく変える移動通信のより高い性能は、人々から止まることなく追い求められている。将来爆発的に増やす移動データトラフィック、大規模な機器の接続および次々と現れる各種類の新規サービスと応用シーンに対応するために、５Ｇ移動通信システムが登場する。
【０００４】
国際電気通信連合ＩＴＵは、５Ｇ移動通信システムについて、３つの典型的な応用シーンを定義し、８つの重要な指標能力の要件を制定している。これらのシーンや重要能力の要件を満たすことは、通信産業界が直面する重要な問題である。要件、技術の発展傾向およびネットワークのスムーズな進化などの要素を統合的に考慮すると、５Ｇ移動通信システムにおいて、ニューエアインタフェースと４Ｇ移動通信システム進化エアインタフェースの２本のパスが同時に存在するべきである。５Ｇ移動通信システムが商業化される前に、４Ｇ移動通信システムは、日増しに増長する容量の要件を満たすべく、引き続き進化する。したがって、４Ｇ移動通信進化システムおよび５Ｇ移動通信システムは、長い期間で共存し、相互運用される。
【０００５】
関連技術における４Ｇ移動通信システムから５Ｇ移動通信システムへの進化を考慮し、図１に示すように、伝統的な４Ｇ移動通信進化システムのコアネットワークＥＰＣにアクセスするＬＴＥ  ｅＮＢは、ＥＰＣと５Ｇ移動通信システムの新規コアネットワークに同時に接続する必要がある。
【０００６】
しかし、進化の角度から見て、将来の移動通信端末は、ＥＰＣへのアクセスと５Ｇ新規コアネットワークへのアクセスを同時にサポートすることができるが、ＬＴＥ  ｅＮＢと進化後のｅＬＴＥ  ｅＮＢも共存状態である。したがって、ＥＰＣと５Ｇ新規コアネットワークに同時に接続可能な移動通信端末からコアネットワークへのアクセスを実現させる技術手段を提供する必要がある。
【発明の概要】
【発明が解決しようとする課題】
【０００７】
本開示の実施例は、多種類のコアネットワークに接続可能な移動通信端末が異なるタイプの基地局によってコアネットワークにアクセスすることを可能にするアクセス処理方法、基地局および移動通信端末を提供することを目的とする。
【課題を解決するための手段】
【０００８】
上述した目的を実現するために、本開示の実施例は、基地局に用いられるアクセス処理方法を提供する。前記アクセス処理方法において、第１ネットワークおよび第２ネットワークに接続可能な移動通信端末から、前記第１ネットワークに対応する第１非アクセス層（Ｎｏｎ  Ａｃｃｅｓｓ  Ｓｔｒａｔｕｍ：ＮＡＳ）メッセージおよび／または前記第２ネットワークに対応する第２ＮＡＳメッセージを含む目標ＮＡＳメッセージが付帯されたアクセス要求を受信するステップと、前記第１ネットワークに対応する第１コアネットワークおよび前記第２ネットワークに対応する第２コアネットワークのうち、前記基地局から接続可能なコアネットワークである目標コアネットワークを特定するステップと、前記目標ＮＡＳメッセージを前記目標コアネットワークに送信するステップとを含む。
【０００９】
上述した目的を実現するために、本開示の実施例は、さらに、第１ネットワークおよび第２ネットワークに接続可能な移動通信端末に用いられるアクセス処理方法を提供する。前記アクセス処理方法において、前記第１ネットワークに対応する第１ＮＡＳメッセージおよび／または前記第２ネットワークに対応する第２ＮＡＳメッセージである目標ＮＡＳメッセージを選択するステップと、目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信するステップと、目標コアネットワークから返信された応答メッセージを前記基地局によって受信するステップとを含む。
【００１０】
上述した目的を実現するために、本開示の実施例は、さらに基地局を提供する。前記基地局は、第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信することに用いられる第１受信モジュールと、前記第１ネットワークに対応する第１コアネットワークおよび前記第２ネットワークに対応する第２コアネットワークのうち、前記基地局から接続可能なコアネットワークである目標コアネットワークを特定することに用いられる第１選択モジュールと、前記目標ＮＡＳメッセージを前記目標コアネットワークに送信することに用いられる第１送信モジュールとを含む。
【００１１】
上述した目的を実現するために、本開示の実施例は、さらに、第１ネットワークおよび第２ネットワークに接続可能な移動通信端末を提供する。前記移動通信端末は、前記第１ネットワークに対応する第１ＮＡＳメッセージおよび／または前記第２ネットワークに対応する第２ＮＡＳメッセージである目標ＮＡＳメッセージを選択することに用いられる第２選択モジュールと、目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信することに用いられる第４送信モジュールと、目標コアネットワークから返信された応答メッセージを前記基地局によって受信することに用いられる第３受信モジュールとを含む。
【００１２】
本開示の実施例は、さらに、プロセッサと、トランシーバと、メモリとを含む基地局を提供する。前記プロセッサは、前記メモリからプログラムを読み取ることによって、第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信するプロセスと、前記第１ネットワークに対応する第１コアネットワークおよび前記第２ネットワークに対応する第２コアネットワークのうち、前記基地局から接続可能なコアネットワークである目標コアネットワークを特定するプロセスと、前記目標ＮＡＳメッセージを前記目標コアネットワークに送信するプロセスとを実行することに用いられる。前記トランシーバは、データの送受信に用いられる。前記メモリは、前記プロセッサによる操作実行に用いられるデータを保存することに用いられる。
【００１３】
本開示の実施例は、さらに、プロセッサと、トランシーバと、メモリとを含み、第１ネットワークおよび第２ネットワークに接続可能な移動通信端末を提供する。前記プロセッサは、前記メモリからプログラムを読み取ることによって、前記第１ネットワークに対応する第１ＮＡＳメッセージおよび／または前記第２ネットワークに対応する第２ＮＡＳメッセージである目標ＮＡＳメッセージを選択するプロセスと、目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信するプロセスと、目標コアネットワークから返信された応答メッセージを前記基地局によって受信するプロセスとを実行することに用いられる。前記トランシーバは、データの送受信に用いられる。前記メモリは、前記プロセッサによる操作実行に用いられるデータを保存することに用いられる。
【００１４】
本開示の実施例は、さらに、プロセッサによって実行可能なコンピュータ読み取り可能な指令が格納された非揮発性コンピュータ読み取り可能な記憶媒体を提供する。前記コンピュータ読み取り可能な指令がプロセッサによって実行されると、前記プロセッサは、第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信することと、前記第１ネットワークに対応する第１コアネットワークおよび前記第２ネットワークに対応する第２コアネットワークのうち、前記基地局から接続可能なコアネットワークである目標コアネットワークを特定することと、前記目標ＮＡＳメッセージを前記目標コアネットワークに送信することとを実行する。
【００１５】
本開示の実施例は、さらに、プロセッサによって実行可能なコンピュータ読み取り可能な指令が格納された非揮発性コンピュータ読み取り可能な記憶媒体を提供する。前記コンピュータ読み取り可能な指令がプロセッサによって実行されると、前記プロセッサは、前記第１ネットワークに対応する第１ＮＡＳメッセージおよび／または前記第２ネットワークに対応する第２ＮＡＳメッセージである目標ＮＡＳメッセージを選択することと、目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信することと、目標コアネットワークから返信された応答メッセージを前記基地局によって受信することと実行する。
【発明の効果】
【００１６】
本開示の実施例において、第１ネットワークおよび第２ネットワークに同時に接続可能な移動通信端末から、目標ＮＡＳメッセージが付帯されたアクセス要求を送信してから、基地局は、自身の接続先の目標コアネットワークに当該目標ＮＡＳメッセージを送信し、目標コアネットワークは、目標ＮＡＳメッセージに基づいて、アクセスが許容されるかを決定する。したがって、本開示の実施例において、多種類のコアネットワークに接続可能な移動通信端末は、異なる基地局によってコアネットワークにアクセスしてユーザにサービスを提供することができる。
【図面の簡単な説明】
【００１７】
【図１】ＬＴＥ  ｅＮＢからｅＬＴＥ  ｅＮＢに進化してＥＰＣと５Ｇ新規コアネットワークへの同時接続図である。
【図２】本開示の一部実施例におけるアクセス処理方法のフローチャートである。
【図３】本開示の一部実施例におけるアクセス処理方法のフローチャートである。
【図４】本開示の一部実施例におけるアクセス処理方法のフローチャートである。
【図５】本開示の一部実施例におけるアクセス処理方法のフローチャートである。
【図６】本開示の一部実施例におけるアクセス処理方法のフローチャートである。
【図７】本開示の一部実施例におけるアクセス処理方法のフローチャートである。
【図８】本開示の一部実施例におけるアクセス処理方法のフローチャートである。
【図９】本開示の一部実施例におけるアクセス処理方法のフローチャートである。
【図１０】本開示の一部実施例におけるアクセス処理方法のフローチャートである。
【図１１】本開示の一部実施例における基地局の構造図である。
【図１２】本開示の一部実施例における移動通信端末の構造図である。
【図１３】本開示の一部実施例におけるアクセス要求にネットワーク情報が付帯されたアクセス手順である。
【図１４】本開示の一部実施例におけるアクセス要求にＮＡＳメッセージのＩＤおよびＮＡＳメッセージが付帯されたアクセス手順である。
【発明を実施するための形態】
【００１８】
本開示の実施例において、第１ネットワークおよび第２ネットワークに同時に接続可能な移動通信端末から、目標ＮＡＳメッセージが付帯されたアクセス要求を送信してから、基地局は、自身の接続先の目標コアネットワークに当該目標ＮＡＳメッセージを送信し、目標コアネットワークは、目標ＮＡＳメッセージに基づいて、アクセスが許容されるかを決定する。したがって、本開示の実施例において、多種類のコアネットワークに接続可能な移動通信端末は、異なる基地局によってコアネットワークにアクセスしてユーザにサービスを提供することができる。
【００１９】
本開示の一部実施例におけるアクセス処理方法は、基地局に用いられる場合、図２に示すように、第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信するステップ２０１と、前記第１ネットワークに対応する第１コアネットワークおよび前記第２ネットワークに対応する第２コアネットワークのうち、前記基地局から接続可能なコアネットワークである目標コアネットワークを特定するステップ２０２と、前記目標ＮＡＳメッセージを前記目標コアネットワークに送信するステップ２０３とを含む。
【００２０】
本開示の一部実施例において、第１ネットワークおよび第２ネットワークに同時に接続可能な移動通信端末から、目標ＮＡＳメッセージ（前記第１ネットワークに対応する第１ＮＡＳメッセージであってもよく、前記第２ネットワークに対応する第２ＮＡＳメッセージであってもよく、第１ＮＡＳメッセージと第２ＮＡＳメッセージを同時に含んでもよい）が付帯されたアクセス要求を送信してから、基地局は、自身の接続先の目標コアネットワークに当該目標ＮＡＳメッセージを送信し、目標コアネットワークは、目標ＮＡＳメッセージに基づいて、アクセスが許容されるかを決定する。上記フローによって、多種類のコアネットワークに接続可能な移動通信端末が異なる基地局によってコアネットワークに接続することができ、コアネットワークによって、アクセスが許容されるかを決定する。
【００２１】
本開示の一部実施例において、前記目標ＮＡＳメッセージが第１ＮＡＳメッセージおよび第２ＮＡＳメッセージのうちのいずれか一つまたは二つであるため、ＮＡＳメッセージは、非アクセス層のメッセージであり、アクセス層に属する基地局にとって不明である。したがって、基地局によって特定された目標コアネットワークに対応するネットワークと、目標ＮＡＳメッセージに対応するネットワークとは異なる可能性がある。このような場合、目標コアネットワークは、アクセスを拒否する。移動通信端末から適切なコアネットワークへアクセスできることを保証するために、本開示の一部実施例のアクセス処理方法において、当該アクセス拒否メッセージを移動通信端末に返信し、ＮＡＳメッセージを変更して改めてアクセスフローを引き起こすように移動通信端末に通知する。
【００２２】
図３に示すように、本開示の一部実施例のアクセス処理方法において、第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信するステップ２０１と、前記第１ネットワークに対応する第１コアネットワークおよび前記第２ネットワークに対応する第２コアネットワークのうち、前記基地局から接続可能なコアネットワークである目標コアネットワークを特定するステップ２０２と、前記目標ＮＡＳメッセージを前記目標コアネットワークに送信するステップ２０３と、前記目標ＮＡＳメッセージに対応するネットワークと前記目標コアネットワークに対応するネットワークとは異なる場合に前記目標コアネットワークから返信されたアクセス拒否メッセージを受信するステップ２０４と、アクセス拒否メッセージを前記移動通信端末に送信し、ＮＡＳメッセージを変更して改めてアクセスフローを引き起こすように前記移動通信端末に通知するステップ２０５とを含む。
【００２３】
本開示の一部実施例のアクセス処理方法において、基地局によって特定された目標コアネットワークに対応するネットワークと、目標ＮＡＳメッセージに対応するネットワークとは異なる（ＮＡＳがマッチングしない）場合、基地局は、目標コアネットワークから送信されたアクセス拒否メッセージを移動通信端末に転送する。移動通信端末は、新規のＮＡＳメッセージを選択して改めてアクセスフローを引き起こし、目標コアネットワークへのアクセスを実現する。
【００２４】
これについて以下のように例を挙げ説明する。
【００２５】
端末から送信されたアクセス要求には、第２ネットワークに対応する第２ＮＡＳメッセージが付帯され、基地局によって、前記第１ネットワークに対応する第１コアネットワークが目標コアネットワークとして選択されたとする（基地局から前記第１ネットワークに対応する第１コアネットワークのみに接続可能である可能性があり、基地局から第１コアネットワークと第２コアネットワークに同時に接続可能であるが、選択ポリシーに基づいて第１コアネットワークが選択された可能性もある）。この場合、基地局によって特定された目標コアネットワークに対応する第１ネットワークと、目標ＮＡＳメッセージに対応する第２ネットワークとは異なるため、第１コアネットワークは、アクセスを拒否する。
【００２６】
端末は、当該アクセス拒否メッセージを受信すると、第１ネットワークに対応する第１ＮＡＳメッセージを、再送信したアクセス要求に付帯させる。この場合、基地局によって特定された目標コアネットワークに対応する第１ネットワークと、目標ＮＡＳメッセージに対応する第１ネットワークとは同一であるため、移動通信端末は、第１コアネットワークにアクセスしてユーザにサービスを提供することができる。
【００２７】
上述した実施例において、基地局によって特定された目標コアネットワークに対応するネットワークと、目標ＮＡＳメッセージに対応するネットワークとは異なる場合、新規のＮＡＳメッセージを用いて改めてアクセスすることによって、移動通信端末が適切なコアネットワークにアクセスできユーザにサービスを提供することを保証する。
【００２８】
本開示の一部実施例のフローにより分かるように、複数回のアクセスフローを引き起し、アクセス速度を低下させる可能性がある。アクセス失敗をもたらすケースとして、基地局から一種のコアネットワークのみにアクセスできるが、移動通信端末から送信されたＮＡＳメッセージに対応するネットワークは、ちょうど、基地局から接続可能な唯一のコアネットワークに対応するネットワークとは異なる。
【００２９】
したがって、本開示の一部実施例において、上述したケースによる再アクセスを避けるために、基地局が、基地局から接続可能なコアネットワークに対応するネットワークのネットワーク情報を移動通信端末に知らせることによって、移動通信端末は、アクセスフローを引き起こす際に、前記基地局から接続可能なコアネットワークに対応するネットワークに対応するＮＡＳメッセージを選択することができる。
【００３０】
図４に示すように、本開示の一部実施例のアクセス処理方法において、前記基地局から接続可能なコアネットワークに対応するネットワークを指示するネットワーク情報を送信するステップ２０６と、前記移動通信端末が前記ネットワーク情報に基づいて前記第１ＮＡＳメッセージおよび第２ＮＡＳメッセージから選択された、対応するネットワークが基地局から接続可能なコアネットワークに対応するネットワークである目標ＮＡＳメッセージが付帯されたアクセス要求を、第１ネットワークおよび第２ネットワークに接続可能な移動通信端末から受信するステップ２０１と、前記第１ネットワークに対応する第１コアネットワークおよび前記第２ネットワークに対応する第２コアネットワークのうち、前記基地局から接続可能なコアネットワークである目標コアネットワークを特定するステップ２０２と、前記目標ＮＡＳメッセージを前記目標コアネットワークに送信するステップ２０３とを含む。
【００３１】
本開示の一部実施例において、基地局が、基地局から接続可能なコアネットワークに対応するネットワークのネットワーク情報を予め知らせるため、移動通信端末が、基地局から接続可能なコアネットワークに対応するネットワークに対応するＮＡＳメッセージを選択することができるため、基地局から唯一に接続可能なコアネットワークに対応するネットワークと、目標ＮＡＳメッセージに対応するネットワークとの相違による再アクセスフローを避け、アクセス速度を上げる。
【００３２】
基地局から第１ネットワークのみに接続可能であれば、移動通信端末は、前記基地局から第１ネットワークのみに接続可能であることを知ると、第２ネットワークに対応するＮＡＳメッセージではなく、第１ネットワークに対応するＮＡＳメッセージを選択してアクセスを引き起こす。逆の場合でも同様である。
【００３３】
本開示の一部実施例のフローにより分かるように、目標ＮＡＳメッセージと目標コアネットワークがランダムに選択されると、再アクセスが発生する可能性がある。本開示の一部実施例は、一つのケースを解決できたが、基地局から第１コアネットワークと第２コアネットワーク同時に接続できるが、選択ポリシーに基づいて選択されたコアネットワークに対応するネットワークと、目標ＮＡＳメッセージに対応するネットワークとの相違による再アクセスのケースを解決できない。
【００３４】
上述した問題を解決するために、本開示の一部実施例において、移動通信端末が、前記目標ＮＡＳメッセージに対応するネットワークのネットワークＩＤをアクセス要求に付帯させたため、基地局は、マッチングするコアネットワーク（すなわちコアネットワークに対応するネットワークとＮＡＳメッセージに対応するネットワークとは同一である）を選択することができ、アクセスの失敗を避ける。
【００３５】
図５に示すように、本開示の一部実施例のアクセス処理方法において、前記基地局から接続可能なコアネットワークに対応するネットワークを指示するネットワーク情報を送信するステップ２０６と、前記移動通信端末が前記ネットワーク情報に基づいて前記第１ＮＡＳメッセージおよび第２ＮＡＳメッセージから選択された、対応するネットワークが基地局から接続可能なコアネットワークに対応するネットワークである目標ＮＡＳメッセージ、および前記目標ＮＡＳメッセージに対応するネットワークのネットワークＩＤが付帯されたアクセス要求を、第１ネットワークおよび第２ネットワークに接続可能な移動通信端末から受信するステップ２０７と、前記ネットワークＩＤで指示されるネットワークに対応するコアネットワークを前記目標コアネットワークとして特定するステップ２０８と、前記目標ＮＡＳメッセージを前記目標コアネットワークに送信するステップ２０３とを含む。
【００３６】
本開示の一部実施例において、基地局が、基地局から接続可能なコアネットワークに対応するネットワークのネットワーク情報を予め知らせるため、移動通信端末が、基地局から接続可能なコアネットワークに対応するネットワークに対応するＮＡＳメッセージを選択することができるため、まず、基地局から唯一に接続可能なコアネットワークに対応するネットワークと、目標ＮＡＳメッセージに対応するネットワークとの相違による再アクセスフローを避け、アクセス速度を上げる。前記目標ＮＡＳメッセージに対応するネットワークのネットワークＩＤをアクセス要求に付帯させたため、基地局は、前記ネットワークＩＤで指示されるネットワークに対応するコアネットワークを前記目標コアネットワークとして特定することができる。したがって、基地局によって特定された目標コアネットワークと、目標ＮＡＳメッセージに対応するネットワークとは同一であり、移動通信端末が一回のアクセスフローでコアネットワークへのアクセスを完成させることを保証し、アクセス速度を上げる。
【００３７】
本開示の一部実施例において、基地局から接続可能なコアネットワークに対応するネットワークのネットワーク情報は、システム情報ブロックＳＩＢまたは無線リソース制御ＲＲＣシグナリングによって付帯される。
【００３８】
上述した方法に対応し、本開示の実施例は、さらに、移動通信端末側に用いられるアクセス処理方法を提供する。
【００３９】
図６に示すように、本開示の一部実施例のアクセス処理方法は、第１ネットワークおよび第２ネットワークに接続可能な移動通信端末に用いられるアクセス処理方法であって、前記第１ネットワークに対応する第１ＮＡＳメッセージおよび／または前記第２ネットワークに対応する第２ＮＡＳメッセージである目標ＮＡＳメッセージを選択するステップ３０１と、目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信するステップ３０２と、目標コアネットワークから返信された応答メッセージを前記基地局によって受信するステップ３０３とを含む。
【００４０】
本開示の一部実施例において、第１ネットワークおよび第２ネットワークに同時に接続可能な移動通信端末から、目標ＮＡＳメッセージ（前記第１ネットワークに対応する第１ＮＡＳメッセージであってもよく、前記第２ネットワークに対応する第２ＮＡＳメッセージであってもよく、第１ＮＡＳメッセージと第２ＮＡＳメッセージを同時に含んでもよい）が付帯されたアクセス要求を送信してから、基地局は、自身の接続先の目標コアネットワークに当該目標ＮＡＳメッセージを送信し、目標コアネットワークは、目標ＮＡＳメッセージに基づいて、アクセスが許容されるかを決定する。上記フローによって、多種類のコアネットワークに接続可能な移動通信端末が異なる基地局によってコアネットワークに接続することができ、コアネットワークによって、アクセスが許容されるかを決定する。
【００４１】
本開示の一部実施例において、前記目標ＮＡＳメッセージが第１ＮＡＳメッセージおよび第２ＮＡＳメッセージのうちのいずれか一つまたは二つであるため、ＮＡＳメッセージは、非アクセス層のメッセージであり、アクセス層に属する基地局にとって不明である。したがって、基地局によって特定された目標コアネットワークに対応するネットワークと、目標ＮＡＳメッセージに対応するネットワークとは異なる可能性がある。このような場合、目標コアネットワークは、アクセスを拒否する。移動通信端末から適切なコアネットワークへアクセスできることを保証するために、本開示の一部実施例のアクセス処理方法において、移動通信端末は、当該アクセス拒否メッセージを受信してから、ＮＡＳメッセージを変更して改めてアクセスフローを引き起こす。
【００４２】
図７に示すように、本開示の一部実施例のアクセス処理方法において、前記第１ネットワークに対応する第１ＮＡＳメッセージおよび／または前記第２ネットワークに対応する第２ＮＡＳメッセージである目標ＮＡＳメッセージを選択するステップ３０１と、目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信するステップ３０２と、目標コアネットワークから返信された応答メッセージを前記基地局によって受信するステップ３０３と、前記応答メッセージとして、目標ＮＡＳメッセージに対応するネットワークと前記目標コアネットワークに対応するネットワークとは異なることを指示するアクセス拒否メッセージであると、目標ＮＡＳメッセージとは異なるＮＡＳメッセージを新たな目標ＮＡＳメッセージとして前記第１ＮＡＳメッセージおよび第２ＮＡＳメッセージから選択し、改めてアクセスフローを引き起こすステップ３０４とを含む。
【００４３】
本開示の一部実施例のアクセス処理方法において、基地局によって特定された目標コアネットワークに対応するネットワークと、目標ＮＡＳメッセージに対応するネットワークとは異なる（またはＮＡＳがマッチングしないと称する）場合、基地局は、目標コアネットワークから送信されたアクセス拒否メッセージを移動通信端末に転送する。移動通信端末は、アクセス拒否メッセージを受信すると、新規のＮＡＳメッセージを選択して改めてアクセスフローを引き起こし、目標コアネットワークへのアクセスを実現する。
【００４４】
同様に、上述した再アクセスフローを解決するために、本開示の一部実施例において、以下のように再アクセスフローを引き起こす二つのケースに対しそれぞれ改良をする。
【００４５】
本開示の一部実施例のアクセス処理方法は、図８に示すように、前記基地局から接続可能なコアネットワークに対応するネットワークを指示するネットワーク情報を前記基地局から受信するステップ３０５と、前記ネットワーク情報に基づいて、基地局から接続可能なコアネットワークに対応するネットワークに対応するＮＡＳメッセージを前記目標ＮＡＳメッセージとして前記第１ＮＡＳメッセージおよび第２ＮＡＳメッセージから選択するステップ３０６と、目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信するステップ３０２と、目標コアネットワークから返信された応答メッセージを前記基地局によって受信するステップ３０３とを含む。
【００４６】
本開示の一部実施例において、基地局が、基地局から接続可能なコアネットワークに対応するネットワークのネットワーク情報を予め知らせるため、移動通信端末が、基地局から接続可能なコアネットワークに対応するネットワークに対応するＮＡＳメッセージを選択することができるため、基地局から唯一に接続可能なコアネットワークに対応するネットワークと、目標ＮＡＳメッセージに対応するネットワークとの相違による再アクセスフローを避け、アクセス速度を上げる。
【００４７】
本開示の一部実施例のアクセス処理方法は、図９に示すように、前記基地局から接続可能なコアネットワークに対応するネットワークを指示するネットワーク情報を前記基地局から受信するステップ３０５と、前記ネットワーク情報に基づいて、基地局から接続可能なコアネットワークに対応するネットワークに対応するＮＡＳメッセージを前記目標ＮＡＳメッセージとして前記第１ＮＡＳメッセージおよび第２ＮＡＳメッセージから選択するステップ３０６と、目標ＮＡＳメッセージおよび前記目標ＮＡＳメッセージに対応するネットワークのネットワークＩＤが付帯されたアクセス要求を基地局に送信することによって、前記ネットワークＩＤで指示されるネットワークに対応するコアネットワークである目標コアネットワークに前記目標ＮＡＳメッセージを前記基地局によって送信するステップ３０７と、目標コアネットワークから返信された応答メッセージを前記基地局によって受信するステップ３０３とを含む。
【００４８】
本開示の一部実施例において、基地局が、基地局から接続可能なコアネットワークに対応するネットワークのネットワーク情報を予め知らせるため、移動通信端末が、基地局から接続可能なコアネットワークに対応するネットワークに対応するＮＡＳメッセージを選択することができるため、まず、基地局から唯一に接続可能なコアネットワークに対応するネットワークと、目標ＮＡＳメッセージに対応するネットワークとの相違による再アクセスフローを避け、アクセス速度を上げる。前記目標ＮＡＳメッセージに対応するネットワークのネットワークＩＤをアクセス要求に付帯させたため、基地局は、前記ネットワークＩＤで指示されるネットワークに対応するコアネットワークを前記目標コアネットワークとして特定することができる。したがって、基地局によって特定された目標コアネットワークと、目標ＮＡＳメッセージに対応するネットワークとは同一であり、移動通信端末が一回のアクセスフローでコアネットワークへのアクセスを完成させることを保証し、アクセス速度を上げる。
【００４９】
前記の前記基地局から送信されたネットワーク情報を受信するステップにおいて、システム情報ブロックＳＩＢまたは無線リソース制御ＲＲＣシグナリングによって前記ネットワーク情報を受信する。
【００５０】
本開示の一部実施例の方法は、再アクセスフローを回避可能な別の方法であり、前記目標ＮＡＳメッセージは、前記第１ネットワークに対応する第１ＮＡＳメッセージおよび前記第２ネットワークに対応する第２ＮＡＳメッセージを含む。前記アクセス処理方法において、図１０に示すように、第１ＮＡＳメッセージおよび前記第２ネットワークに対応する第２ＮＡＳメッセージを目標ＮＡＳメッセージとして選択するステップ３０８と、目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信するステップ３０２と、目標コアネットワークから返信された応答メッセージを前記基地局によって受信するステップ３０３と、返信された応答メッセージのフォーマットに基づいて、アクセス先の目標コアネットワークを特定するステップ３０９とを含む。
【００５１】
これについて以下のように説明する。
【００５２】
目標ＮＡＳメッセージに二つ含まれる場合、その処理過程は、以下である。
移動通信端末から送信されたアクセス要求には、第１ＮＡＳメッセージと第２ＮＡＳメッセージを同時に付帯させる。
基地局は、アクセス要求を受信すると、目標コアネットワークをランダムに選択する。
目標コアネットワークは、自身に対応するネットワークに基づいて、第１ＮＡＳメッセージと第２ＮＡＳメッセージのうちの一方を選択して処理し、前記応答メッセージを端末に返信する。
端末は、返信された応答メッセージのフォーマットに基づいて、アクセス先の目標コアネットワークを特定する。
【００５３】
ＬＴＥ  ｅＮＢについて、ＮＡＳメッセージをＥＰＣに転送しかできない。ＥＰＣは、アクセス要求メッセージを受信すると、第１ＮＡＳメッセージを用いて移動通信端末とのセキュリティ認証を行う。移動通信端末は、ＮＡＳメッセージを受信し、ＥＰＣフォーマットのＮＡＳメッセージであると特定すると、ＬＴＥ  ｅＮＢを介してＥＰＣにアクセスし、その後にＥＰＣ  ＮＡＳメッセージを用いてやり取りする。
【００５４】
一方、ｅＬＴＥ  ｅＮＢについて、移動通信端末からＮＡＳメッセージをＥＰＣに転送するか、または５Ｇ新規コアネットワークに転送するかを選択することができる。ＥＰＣまたは５Ｇ新規コアネットワークは、アクセス要求メッセージを受信すると、それぞれに対応するＮＡＳメッセージを用いて移動通信端末とのセキュリティ認証を行う。移動通信端末は、ＮＡＳメッセージを受信し、ＥＰＣフォーマットのＮＡＳメッセージであると特定すると、ｅＬＴＥ  ｅＮＢを介してＥＰＣにアクセスし、その後にＥＰＣ  ＮＡＳメッセージを用いてやり取りする。一方、５Ｇ  ＣＮフォーマットのＮＡＳメッセージであると特定すると、移動通信端末が、５Ｇ  ＣＮにアクセスし、その後に５Ｇ  ＣＮ  ＮＡＳメッセージを用いてやり取りする。
【００５５】
本開示の一部実施例は、さらに基地局を提供する。図１１に示すように、当該基地局は、第１ネットワークおよび第２ネットワークに接続可能な移動通信端末から、前記第１ネットワークに対応する第１ＮＡＳメッセージおよび／または前記第２ネットワークに対応する第２ＮＡＳメッセージを含む目標ＮＡＳメッセージが付帯されたアクセス要求を受信することに用いられる第１受信モジュールと、前記第１ネットワークに対応する第１コアネットワークおよび前記第２ネットワークに対応する第２コアネットワークのうち、前記基地局から接続可能なコアネットワークである目標コアネットワークを特定することに用いられる第１選択モジュールと、前記目標ＮＡＳメッセージを前記目標コアネットワークに送信することに用いられる第１送信モジュールとを含む。
【００５６】
もちろん、アクセスを保証するために、本開示の一部実施例を基に、本開示の一部実施例の基地局は、前記目標ＮＡＳメッセージに対応するネットワークと前記目標コアネットワークに対応するネットワークとは異なる場合に前記目標コアネットワークから返信されたアクセス拒否メッセージを受信することに用いられる第２受信モジュールと、アクセス拒否メッセージを前記移動通信端末に送信し、ＮＡＳメッセージを変更して改めてアクセスフローを引き起こすよう前記移動通信端末に通知することに用いられる第２送信モジュールとをさらに含んでもよい。
【００５７】
再アクセスが引き起こされることを避けるために、本開示の一部実施例は、さらに基地局を提供し、本開示の一部実施例を基に、前記基地局から接続可能なコアネットワークに対応するネットワークを指示するネットワーク情報を送信することによって、前記ネットワーク情報に基づいて、基地局から接続可能なコアネットワークに対応するネットワークに対応するＮＡＳメッセージを前記目標ＮＡＳメッセージとして前記第１ＮＡＳメッセージおよび第２ＮＡＳメッセージから選択するように前記移動通信端末に指示することに用いられる第３送信モジュールをさらに含む。
【００５８】
本開示の一部実施例を基に、さらに再アクセスを避けるために、本開示の一部実施例において、前記アクセス要求には、前記目標ＮＡＳメッセージに対応するネットワークのネットワークＩＤがさら付帯され、前記第１選択モジュールは、具体的に、前記ネットワークＩＤで指示されるネットワークに対応するコアネットワークを前記目標コアネットワークとして特定することに用いられる。
【００５９】
前記第３送信モジュールは、具体的に、システム情報ブロックＳＩＢまたは無線リソース制御ＲＲＣシグナリングによって前記ネットワーク情報を付帯することに用いられる。
【００６０】
本開示の一部実施例は、さらに、第１ネットワークおよび第２ネットワークに接続可能な移動通信端末を提供する。図１２に示すように、前記移動通信端末は、前記第１ネットワークに対応する第１ＮＡＳメッセージおよび／または前記第２ネットワークに対応する第２ＮＡＳメッセージである目標ＮＡＳメッセージを選択することに用いられる第２選択モジュールと、目標ＮＡＳメッセージが付帯されたアクセス要求を基地局に送信することによって、前記基地局から前記目標ＮＡＳメッセージを、前記第１ネットワークに対応する第１コアネットワークおよび前記第２ネットワークに対応する第２コアネットワークのうち前記基地局から接続可能なコアネットワークである目標コアネットワークに送信することに用いられる第４送信モジュールと、目標コアネットワークから返信された応答メッセージを前記基地局によって受信することに用いられる第３受信モジュールとを含む。
【００６１】
もちろん、アクセスを保証するために、本開示の一部実施例を基に、本開示の一部実施例の移動通信端末は、前記応答メッセージとして、目標ＮＡＳメッセージに対応するネットワークと前記目標コアネットワークに対応するネットワークとは異なることを指示するアクセス拒否メッセージであると、目標ＮＡＳメッセージとは異なるＮＡＳメッセージを新たな目標ＮＡＳメッセージとして前記第１ＮＡＳメッセージおよび第２ＮＡＳメッセージから選択し、改めてアクセスフローを引き起こすことに用いられる再アクセスモジュールをさらに含む。
【００６２】
再アクセスが引き起こされることを避けるために、本開示の一部実施例を基に、本開示の一部実施例の移動通信端末は、前記基地局から接続可能なコアネットワークに対応するネットワークを指示するネットワーク情報を前記基地局から受信することに用いられる第４受信モジュールをさらに含み、前記第２選択モジュールは、具体的に、前記ネットワーク情報に基づいて、基地局から接続可能なコアネットワークに対応するネットワークに対応するＮＡＳメッセージを前記目標ＮＡＳメッセージとして前記第１ＮＡＳメッセージおよび第２ＮＡＳメッセージから選択することに用いられる。
【００６３】
本開示の一部実施例を基に、さらに再アクセスを避けるために、本開示の一部実施例の移動通信端末において、前記アクセス要求には、前記目標ＮＡＳメッセージに対応するネットワークのネットワークＩＤがさらに付帯されることによって、前記ネットワークＩＤで指示されるネットワークに対応するコアネットワークを前記目標コアネットワークとして特定するように前記基地局に指示する。
【００６４】
上述した移動通信端末において、前記第４受信モジュールは、具体的に、システム情報ブロックＳＩＢまたは無線リソース制御ＲＲＣシグナリングによって前記ネットワーク情報を受信することに用いられる。
【００６５】
本開示の一部実施例を基に、再アクセスを避けるために、本開示の一部実施例の移動通信端末において、前記目標ＮＡＳメッセージは、前記第１ネットワークに対応する第１ＮＡＳメッセージおよび前記第２ネットワークに対応する第２ＮＡＳメッセージであり、前記移動通信端末は、応答メッセージに対応するネットワークに基づいて、前記目標コアネットワークを特定することに用いられる目標コアネットワーク特定モジュールをさらに含む。
【００６６】
以下、第１ネットワークが４Ｇ移動通信ネットワークであり、第２ネットワークが５Ｇ移動通信ネットワークであることを例として、本開示の一部実施例の解決策を以下のように説明する。
【００６７】
目標ＮＡＳメッセージにひとつしかない場合、以下の複数のケースに係る。
１．目標ＮＡＳメッセージは、４Ｇ移動通信ネットワークに対応するＮＡＳメッセージであり、基地局は、４Ｇ移動通信ネットワークにおけるＬＴＥ  ｅＮＢであり、目標コアネットワークは、４Ｇ移動通信ネットワークに対応するＥＰＣである。
２．目標ＮＡＳメッセージは、４Ｇ移動通信ネットワークに対応するＮＡＳメッセージであり、基地局は、５Ｇ移動通信ネットワークにおけるｅＬＴＥ  ｅＮＢであり、目標コアネットワークは、４Ｇ移動通信ネットワークに対応するＥＰＣである。
３．目標ＮＡＳメッセージは、４Ｇ移動通信ネットワークに対応するＮＡＳメッセージであり、基地局は、５Ｇ移動通信ネットワークにおけるｅＬＴＥ  ｅＮＢであり、目標コアネットワークは、５Ｇ移動通信ネットワークに対応するコアネットワーク５Ｇ  ＣＮである。
４．目標ＮＡＳメッセージは、５Ｇ移動通信ネットワークに対応するＮＡＳメッセージであり、基地局は、４Ｇ移動通信ネットワークにおけるＬＴＥ  ｅＮＢであり、目標コアネットワークは、４Ｇ移動通信ネットワークに対応するＥＰＣである。
５．目標ＮＡＳメッセージは、５Ｇ移動通信ネットワークに対応するＮＡＳメッセージであり、基地局は、５Ｇ移動通信ネットワークにおけるｅＬＴＥ  ｅＮＢであり、目標コアネットワークは、４Ｇ移動通信ネットワークに対応するＥＰＣである。
６．目標ＮＡＳメッセージは、５Ｇ移動通信ネットワークに対応するＮＡＳメッセージであり、基地局は、５Ｇ移動通信ネットワークにおけるｅＬＴＥ  ｅＮＢであり、目標コアネットワークは、５Ｇ移動通信ネットワークに対応するコアネットワーク５Ｇ  ＣＮである。
【００６８】
上述した６つのケースは、目標ＮＡＳメッセージと目標コアネットワークがともにランダムに選択される場合のすべてのありうる組み合わせである。
【００６９】
ケース１、２、６について、目標ＮＡＳメッセージに対応するネットワークと、目標コアネットワークに対応するネットワークとは同一であるため、移動通信端末は、最終的にアクセスを実現することができる。
【００７０】
ケース３、４、５について、目標ＮＡＳメッセージに対応するネットワークと、目標コアネットワークに対応するネットワークとは異なるため、移動通信端末は、一回目のアクセスではアクセスできないが、ＮＡＳメッセージを変更した後に、新規の目標ＮＡＳメッセージに対応するネットワークと、目標コアネットワークに対応するネットワークとは同一であるため、最終的にアクセスを実現することができる。
【００７１】
基地局が、基地局から接続可能なコアネットワークに対応するネットワークのネットワーク情報を移動通信端末に知らせ、移動通信端末が、アクセスフローを引き起こす際に、前記基地局から接続可能なコアネットワークに対応するネットワークに対応するＮＡＳメッセージを選択することができる場合、上述した６つのケースは、５つのケースに簡単化され、すなわち、再アクセスフローを引き起こす必要のある上述したケース４が存在しなくなる。
【００７２】
上述ネットワーク情報の送信は、図１３に示すアクセスフローによって実現され、例えば、図１２の初期アクセス時に基地局から送信されたＲＲＣシグナリング又はＲＲＣ接続確立シグナリングで端末に知らせてもよく、ＳＩＢメッセージによって送信してもよい。
【００７３】
基地局が、基地局から接続可能なコアネットワークに対応するネットワークのネットワーク情報を移動通信端末に知らせ、移動通信端末が、アクセスフローを引き起こす際に、前記基地局から接続可能なコアネットワークに対応するネットワークに対応するＮＡＳメッセージを選択することができ、移動通信端末が、前記目標ＮＡＳメッセージに対応するネットワークのネットワークＩＤをアクセス要求に付帯させた場合、上述した６つのケースは、５つのケースに簡単化され、すなわち、再アクセスフローを引き起こす必要のある上述したケース３、４、５が存在しなくなる。
【００７４】
上述した各ケースにおいて、移動通信端末は、ＲＲＣ接続確立完成メッセージに付帯されたアタッチ要求メッセージにＮＡＳメッセージを直接付帯してもよく、図１４に示すように、ＮＡＳメッセージのＩＤも当該メッセージに付帯されてもよい。一方、無線アクセスネットワークのネットエレメント（たとえば基地局）は、ＮＡＳメッセージのＩＤに基づいて、対応するコアネットワークを選択することができる。
【００７５】
目標ＮＡＳメッセージに二つ含まれる場合、その処理過程は、以下である。
移動通信端末から送信されたアクセス要求には、第１ＮＡＳメッセージと第２ＮＡＳメッセージを同時に付帯させる。
基地局は、アクセス要求を受信すると、目標コアネットワークをランダムに選択する。
目標コアネットワークは、自身に対応するネットワークに基づいて、第１ＮＡＳメッセージと第２ＮＡＳメッセージのうちの一方を選択して処理し、対応するフォーマットのＮＡＳメッセージを端末に返信する。
移動通信端末は、返信されたＮＡＳメッセージのフォーマットに基づいて、アクセス先の目標コアネットワークを特定する。
【００７６】
ＬＴＥ  ｅＮＢについて、ＮＡＳメッセージをＥＰＣに転送しかできない。ＥＰＣは、アクセス要求メッセージを受信すると、第１ＮＡＳメッセージを用いて移動通信端末とのセキュリティ認証を行う。移動通信端末は、ＮＡＳメッセージを受信し、ＥＰＣフォーマットのＮＡＳメッセージであると特定すると、ＬＴＥ  ｅＮＢを介してＥＰＣにアクセスし、その後にＥＰＣ  ＮＡＳメッセージを用いてやり取りする。
【００７７】
一方、ｅＬＴＥ  ｅＮＢについて、移動通信端末からＮＡＳメッセージをＥＰＣに転送するか、または５Ｇ新規コアネットワークに転送するかを選択することができる。ＥＰＣまたは５Ｇ新規コアネットワークは、アクセス要求メッセージを受信すると、それぞれに対応するＮＡＳメッセージを用いて移動通信端末とのセキュリティ認証を行う。移動通信端末は、ＮＡＳメッセージを受信し、ＥＰＣフォーマットのＮＡＳメッセージであると特定すると、ｅＬＴＥ  ｅＮＢを介してＥＰＣにアクセスし、その後にＥＰＣ  ＮＡＳメッセージを用いてやり取りする。一方、５Ｇ  ＣＮフォーマットのＮＡＳメッセージであると特定すると、移動通信端末が、５Ｇ  ＣＮにアクセスし、その後に５Ｇ  ＣＮ  ＮＡＳメッセージを用いてやり取りする。
【００７８】
なお、本文において、「含む」や「含有する」またはそれ以外のあらゆる変形用語は、非排他的に含むことを意味する。よって、一連の要素を含むプロセス、方法、モノまたは装置は、それらの要素を含むだけではなく、明確に列挙されていない他の要素をさらに含み、またはこのようなプロセス、方法、モノまたは装置に固有の要素をさらに含む。特に限定されない限り、「…を１つ含む」の表現によって限定される要素について、当該要素を含むプロセス、方法、モノまたは装置に他の同一要素の存在を除外しない。
【００７９】
上述した本開示の実施例の番号は、単に記載用のものであり、実施例の優劣を代表しない。
【００８０】
上述した実施例の方法として、ソフトウェアと必須の汎用ハードウェアプラットフォームを介した形態で実現され、もちろんハードウェアによって実現されてもよいが、多くの場合前者が好適な実施形態であることは、以上の実施形態の記載から、当業者が明確に理解することができる。このような理解に基づき、本開示の技術手段の実質的または従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例に記載した方法を端末機器（携帯電話、コンピュータ、サーバ、エアコンディショナー又はネットワークデバイスなど）に実行させるいくつかの指令を含む。
【００８１】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【００８２】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【００８３】
本開示は、本開示の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【００８４】
これらのコンピュータプログラムコマンドは、コンピュータ又は他のプログラマブルデータ処理デバイスに特定の方式で動作させるを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【００８５】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【００８６】
以上の記載は、本開示の好適な実施例に過ぎず、本開示の限定に用いられない。本開示の精神および原則内に為したあらゆる変更、同等代替、改良などは、いずれも本開示の保護範囲に含まれるべきである。
【図１】
2020501445.tif 000003
【図２】
2020501445.tif 000004
【図３】
2020501445.tif 000005
【図４】
2020501445.tif 000006
【図５】
2020501445.tif 000007
【図６】
2020501445.tif 000008
【図７】
2020501445.tif 000009
【図８】
2020501445.tif 000010
【図９】
2020501445.tif 000011
【図１０】
2020501445.tif 000012
【図１１】
2020501445.tif 000013
【図１２】
2020501445.tif 000014
【図１３】
2020501445.tif 000015
【図１４】
2020501445.tif 000016
【国際調査報告】
2020501445.tif 000017
2020501445.tif 000018
2020501445.tif 000019
2020501445.tif 000020